(57)【要約】      （修正有）【課題】バケツの周辺に溝部が設けられたポータブルトイレにおいて、使用者がバケツを取り出す時、使用者の手の指が溝部に溜まった小水などの排泄物に触れることがないようにしたポータブルトイレを提供する。【解決手段】バケツ６の周辺に溝部３２が設けられたポータブルトイレにおいて、溝部３２の底部をトイレ本体部の後方から前方へ向けて下方へ傾斜させる、又はトイレ本体部の前方から後方へ向けて下方へ傾斜させることによって、使用者がバケツ６を取り出すためにバケツの取っ手６４を把持しようとする時、使用者の手が溝部の中の排泄物に触れることがないようにした。【選択図】図６
2015012904.tif 000002
【特許請求の範囲】
【請求項１】
縁壁によって区画された開口部と、前記開口部の外側に前記縁壁によって区画された溝部とを有する上面部を備えたトイレ本体部と、そして
前記上面部の前記縁壁を介して前記開口部の中に着脱自在に装着されるバケツとを備えており、そして
前記溝部は、前記トイレ本体部の後方から前方へ向けて下方へ傾斜した底面部、又は前記トイレ本体部の前方から後方へ向けて下方へ傾斜した底面部を有している
ことを特徴とするポータブルトイレ。
【請求項２】
前記バケツは前記バケツに回動自在に取り付けられた取っ手を有しており、そして前記溝部は、前記バケツを前記開口部の中にセットした時、前記取っ手が前記溝部の中へ収容されるように配置されていることを特徴とする請求項１に記載のポータブルトイレ。
【請求項３】
前記溝部は、前記取っ手を前記溝部の中に収納した時、前記取っ手を前記溝部の前記底面部から離間させるための突起を備えていることを特徴とする請求項１又は２に記載のポータブルトイレ。
【請求項４】
前記バケツは、前記バケツの外方へ張り出しており、そして前記上面部の前記縁壁によって支持される縁部を備えていることを特徴とする請求項１ないし３のいずれかに記載のポータブルトイレ。
【請求項５】
前記縁部は、前記バケツを前記開口部の中にセットした時、前記縁壁の前記溝部側の側面を覆う折り返し部を有していることを特徴とする請求項４に記載のポータブルトイレ。
【請求項６】
前記トイレ本体部は、
前記上面部と、そして
上部が開口しており且つ前記上面部と接続される箱部であって、前記開口の開口縁から前記箱部の下方へ且つ後方へ向けて傾斜している前面部を有している前記箱部とへ分割されている
ことを特徴とする請求項１ないし５のいずれかに記載のポータブルトイレ。
【請求項７】
前記箱部の外面は、前記上面部の外面と面一に接続されることを特徴とする請求項６に記載のポータブルトイレ。
【請求項８】
前記上面部は、枠部と、前記開口部を有しており且つ前記枠部の内側で、前記枠部に着脱自在に装着される受け部とへ分割されていることを特徴とする請求項１ないし７のいずれかに記載のポータブルトイレ。
【請求項９】
前記受け部は、前記受け部に回動自在に取り付けられた便座と、前記便座を覆うための蓋部とをさらに備えていることを特徴とする請求項８に記載のポータブルトイレ。
【請求項１０】
前記枠部および前記箱部は、いずれも樹脂製の一体成形品であることを特徴とする特徴とする請求項８又は９に記載のポータブルトイレ。
【発明の詳細な説明】
【技術分野】
【０００１】
本発明は、汚れ易い部位や部品の洗浄や掃除等を容易にしたポータブルトイレ（移動式簡易便器）に関し、特に排泄物などによって汚れ易い汚物用バケツの周辺に溝部が設けられたポータブルトイレにおいて、溝部の底部をトイレ本体部の後方から前方へ向けて下方へ傾斜させる、又はトイレ本体部の前方から後方へ向けて下方へ傾斜させることによって、使用者がトイレ本体部から汚物バケツを取り出すために該バケツの取っ手を把持しようとする時、使用者の手が溝部の中の排泄物に触れることがないようにしたポータブルトイレに関する。
【背景技術】
【０００２】
近年、高齢者及び身体障害者が居室等で排泄するために、ポータブルトイレ（移動式簡易便器）が普及している。
【０００３】
このようなポータブルトイレは、身体が不自由な者が使用するものであるため、汚物を溜めるバケツの周辺部に排泄物が飛散したり、又は埃が積もったりして汚れることが多い。しかしながら、ポータブルトイレは居室等の室内で使用されることを前提とするため、洗浄や拭き取り掃除等によって常に清潔に保つことが衛生上極めて重要となる。
【０００４】
このため、近年では、例えば特開２００４−９７３４５号公報（特許文献１）や特開２００６−８７７２４号公報（特許文献２）に記載されているように、汚物を溜めるバケツの周辺部など、排泄物の飛散などによって比較的汚れ易い部分に溝部を設け、さらに該溝部をトイレ本体部から簡単に取り出せるようにすることによって汚物用バケツ周辺部を簡単に洗浄や拭き取り掃除等ができるようにしたポータブルトイレが開発されている。
【０００５】
また、実開平６−９５４８（特許文献３）に記載されているように、汚物用バケツをトイレ本体部へセットした時、汚物用バケツの取っ手を溝部の中へ収容可能とすることによって溝部の上の空間を有効利用して、溝部及び該溝部の周辺をコンパクトに設計したタイプのポータブルトイレも提案されている。
【０００６】
しかしながら、特許文献１−３に記載されたポータブルトイレでは、使用者がトイレ本体部から汚物バケツを取り出すために該バケツの取っ手を把持しようとすると、使用者の手の指が溝部に溜まった小水などの排泄物に触れて汚染されるという問題があった。
【先行技術文献】
【特許文献】
【０００７】
【特許文献１】特開２００４−９７３４５号公報
【特許文献２】特開２００６−８７７２４号公報
【特許文献３】実開平６−９５４８
【発明の概要】
【発明が解決しようとする課題】
【０００８】
そこで、本発明は、排泄物などによって汚れ易い汚物用バケツの周辺に溝部が設けられたポータブルトイレにおいて、使用者がトイレ本体部から汚物バケツを取り出すために該バケツの取っ手を把持しようとする時、使用者の手の指が溝部に溜まった小水などの排泄物に触れることがないようにしたポータブルトイレを提供することを目的とする。
【課題を解決するための手段】
【０００９】
本発明者等は、特に排泄物などによって汚れ易い汚物用バケツの周辺に溝部が設けられたポータブルトイレにおいて、溝部に溜まった排泄物又は溝部の底部からバケツの取っ手を離間させ、手の指を挿入させる隙間を形成する構成について鋭意検討を重ねた結果、溝部の底部をトイレ本体部の後方から前方へ向けて下方へ傾斜させる、又はトイレ本体部の前方から後方へ向けて下方へ傾斜させることによって上記の課題を解決し、本発明を完成するに至った。
【００１０】
具体的には、本発明によれば、縁壁によって区画された開口部と、開口部の外側に縁壁によって区画された溝部とを有する上面部を備えたトイレ本体部と、そして上面部の縁壁を介して開口部の中に着脱自在に装着されるバケツとを備えており、そして溝部は、トイレ本体部の後方から前方へ向けて下方へ傾斜した底面部、又は前記トイレ本体部の前方から後方へ向けて下方へ傾斜した底面部を有していることを特徴とするポータブルトイレが提供される。
【００１１】
本発明のポータブルトイレは、トイレ本体部の上部に、汚物用バケツを収容するために縁壁によって区画された開口部と、該開口部の外側に縁壁によって区画された溝部を有する上面部を備えている。上面部はトイレ本体部の変形を防止するために機能するトイレ本体部のフランジ部分であり、上面部の下を構成するトイレ本体部と一体的に構成されていてもよく、又は別体として構成されていてもよい。また、上面部の中の開口部は、排泄物の漏洩防止、掃除のし易さ、トイレ本体部の成形性などを考慮して底有りの形状としても、又は底無しの形状としてもよい。
【００１２】
溝部は、飛散した排泄物が直接ポータブルトイレの他の部位へ零れたり又は伝わり漏れ出るのを防止し、そして縁壁は汚物用バケツを懸架等することによってトイレ本体部の中に支持するために機能する。このため、溝部は、汚物を溜めるバケツの周辺部の全部又は一部を取り囲むように、縁壁によって区画された開口部の外側に配置されており、そして全体としてはＯ型又はＵ型などの形状を有している。また、汚物を溜めるためのバケツは、縁壁を介して開口部の中へ着脱自在に収容される。
【００１３】
本発明のポータブルトイレの中で、トイレ本体部の上面部は、汚物を溜めるバケツの周辺部の全部又は一部を取り囲むように、排泄物の飛散などによって比較的汚れ易い部分に設けられているため、縁壁によって区画された開口部の外側に溝部が設けられていると、飛散した排泄物を一時的に溝部の中に受け入れることができるので、排泄物が直接ポータブルトイレの他の部位へ零れたり又は伝わり漏れ出るのを効果的に防止することができる。
【００１４】
トイレ本体部の上面部の第２の開口部の中にセットされるバケツは、バケツに回動自在に取り付けられた取っ手を有している。そしてバケツの取っ手の全部又は一部は、バケツを開口部の中にセットした時、便座の下方であって且つ上面部の溝部の中のトイレ本体部の後方側へ収容される。そのため、本発明のポータブルトイレでは、便座と溝部との間の空間をバケツの取っ手の収納場所として有効利用しているので、開口部の中でのバケツの収納状態をコンパクトに設計することができる。
【００１５】
本発明のポータブルトイレでは、上面部の溝部はトイレ本体部の後方から前方へ向けて下方へ傾斜した底面部、又は前記トイレ本体部の前方から後方へ向けて下方へ傾斜した底面部を有している。
【００１６】
溝部には、上述したように飛散した液状又は半固体状の排泄物等が溜められる。このため、溝部の底部がトイレ本体部の後方から前方へ向けて下方へ傾斜していると、溝部に溜まった小水などの排泄物は溝部のトイレ本体部の前方側に溜まるので、使用者がトイレ本体部から汚物バケツを取り出すために、溝部のトイレ本体部の後方側に収容されているバケツの取っ手を把持しようとする時、使用者の手の指が溝部に溜まった小水などの排泄物に触れて汚染されることがないようにすることができる。なお、溝部の深さを十分に確保できる場合は、バケツの取っ手を溝部のトイレ本体部の前方側へ収容させても、上記と同様の効果を得ることができる。
【００１７】
また、本発明のポータブルトイレにおいて、溝部の底部がトイレ本体部の前方から後方へ向けて下方へ傾斜していると、溝部に溜まった小水などの排泄物は溝部のトイレ本体部の後方側に溜まるので、使用者の手の指が溝部に溜まった小水などに汚染されることがないようにするためには、バケツの取っ手を溝部のトイレ本体部の前方側へ収容することが好ましい。しかしながら、溝部の深さを十分に確保できる場合は、バケツの取っ手を溝部のトイレ本体部の後方側へ収容させても、上記と同様の効果を得ることができる。
【００１８】
さらに、上面部の溝部には、バケツの取っ手を溝部の中に収納した時、取っ手を溝部の底面部から離間させるための突起が設けられていることが好ましい。
【００１９】
溝部の中に、取っ手を溝部の底面部から離間させるための突起を設けると、使用者がバケツの取っ手を把持するために使用者の手の指を挿入させるためのスペースが確保されると共に、使用者がバケツの取っ手を把持しようとしても、より一層確実に使用者の手の指が溝部に溜まった小水などの排泄物に触れて汚染されることがないようにすることができる。なお、突起の位置は、バケツの取っ手を収容する位置に合わせて、溝部のトイレ本体部の前方側に配置しても又はトイレ本体部の後方側に配置してもよい。
【００２０】
トイレ本体部の上面部の開口部の中にセットされるバケツは、バケツの外方へ張り出しており、そして受け部の縁壁によって支持される縁部を備えていることが好ましい。
【００２１】
上記のようなバケツの外方へ張り出した縁部は、特にバケツの開口縁の変形を防止するのに役立つと共に、上面部の縁壁と協働することによってトイレ本体部から簡単にバケツを取り出すことができ、そしてトイレ本体部へバケツを簡単に装着できるようにする。
【００２２】
さらに、バケツの縁部は、バケツを上面部の開口部の中にセットした時、縁壁の溝部側の側面を覆う折り返し部を有していることが好ましい。
【００２３】
本発明のポータブルトイレでは、トイレ本体部の上面部は開口部とその外側に溝部を備えており、そして開口部と溝部との間には両者を区画するように縁壁が形成されている。そしてバケツは、バケツの縁部が受け部の縁壁によって下方から支持されることによって、第２の開口部の中へ懸架支持されている。このため、バケツの縁部に上記折り返し部を設けると、バケツをポータブルトイレの中へセットした時、バケツの外壁と縁部の折り返し部は受け部の縁壁を挟み込むように配置されるので、バケツが受け部から不意に離脱してしまうのを防止することができる。
【００２４】
本発明のポータブルトイレはトイレ本体部を備えており、該トイレ本体部は、上部が開口した箱部であって、開口の開口縁から箱部の下方へ且つ後方へ向けて傾斜している前面部を有している箱部と、そして箱部の開口縁へ接続される上面部とに分割されていることが好ましい。
【００２５】
変形に対するトイレ本体部の強度を向上させる手段としては、トイレ本体部の開口縁や側面に折り返しリブや補強リブなどを設ける方法や、若しくはトイレ本体部の各面にパネルを配置して、トイレ本体部をいわゆるボックス構造とする方法などが知られている。
【００２６】
しかしながら、特に開口縁の折り返しリブは、構造上、トイレ本体部から外部へ突出した突起物となるので、トイレ本体部に折り返しリブを設けると、使用者がポータブルトイレで又はポータブルトイレ近傍で脚を動かす際に脚を引っ掛ける障害物となる。そのため、本発明では、折り返しリブなどの突起物を無くするのに有利なボックス構造を採用することによって、特にトイレ本体部の前面部から、使用者が脚などを引っ掛ける可能性のある突起物や段差を無くすることを達成し、トイレ本体部の前面部を滑らかな形状としている。
【００２７】
また、一般にトイレ本体部をボックス構造とすると、トイレ本体部の成形性やメンテナンス性が低下するので、本発明ではいわゆる２ピース構造を採用し、トイレ本体部を、上部が開口した箱部と、該開口の開口縁へビスなどによって連結される上面部との２つの部品から構成することによって上記の問題を解消している。そのため、本発明では、箱部と上面部はいずれも樹脂製の一体成形品として成形することが可能であり、その結果、低コストで且つ頑丈なポータブルトイレを提供することができる。
【００２８】
また、本発明のポータブルトイレは、箱部の前面部を、開口の開口縁から箱部の下方へ且つ後方へ向けて傾斜させているので、使用者は自己の足下をトイレ本体部の前端部又は便座の前縁の真下又はその後方まで引き寄せることが可能となる。このため、本発明のポータブルトイレでは、使用者がポータブルトイレから立ち上がる時及び／又はポータブルトイレへ着座する時の体重移動は主として上下方向の移動のみとなるので、使用者のポータブルトイレからの立ち上がり及びポータブルトイレへの着座が容易となる。
【００２９】
さらに、本発明のポータブルトイレは、箱部の外面を上面部の外面と面一に接続することが好ましい。
【００３０】
本発明のポータブルトイレは、上述したように便座に着座した使用者の両脚の移動を自由にするために、トイレ本体部の前端部の形状を便座の前縁と略同一形状としている。このため、箱部の外面を上面部の外面と面一に接続すると、トイレ本体部の前端部からトイレ本体部の下方へ向けて、便座の前縁の形状と略同一の表面形状を有する前面部を形成することができるようになる。
【００３１】
その結果、箱部の外面を上面部の外面と面一にすると、トイレ本体部の前面部から突起物や段差を排除して、トイレ本体部の前面部をより一層滑らかな形状とすることができると共に、便座の前縁の中央部分の突出部を、便座の前縁からトイレ本体部の前面部に掛けて連続的に形成することができるので、使用者が便座の後方に深く腰を掛けた時の使用者の両脚の開脚誘導をよりスムーズに促進させることができるようになる。
【００３２】
本発明においてトイレ本体部の上面部は、枠部と、縁壁によって区画された開口部を有しており且つ枠部の内側で該枠部に着脱自在に装着される受け部とへ分割されていることが好ましい。
【００３３】
トイレ本体部の上面部は、肘掛けや背もたれを支持し、そして箱部と接続されることによってトイレ本体部の強度を向上させると共に、便座を下方から支持し、さらに開口部を区画する縁壁を介して該開口部の中へバケツを懸架するように支持するためにも機能する。このためトイレ本体部の上面部の中、特に開口部やその周辺部は使用者の排泄物や埃などによって汚れ易く、適宜洗浄や拭き取りなどの掃除をする必要がある。
【００３４】
そこで本発明では、トイレ本体部の上面部を開口部やその周辺部からなる受け部と、該受け部を着脱自在に支持する枠部とに分割することにより、受け部をトイレ本体部から分離してポータブルトイレの外部で容易に掃除ができるようにしている。そのため、受け部がトイレ本体部から容易に取り外せる構造であれば、トイレ本体部は必ずしも枠部（受け部を除いた上面部）と箱部に分離されている必要がなく、枠部と箱部が一体となったいわゆる１ピース構造であってもよい。
【００３５】
また、本発明では、便座及び蓋部は、受け部へ回動自在に取り付けられていることが好ましい。
【００３６】
受け部へ便座及び蓋部を取り付けると、受け部は便座及び蓋部を片持ちで支持するので、受け部には、受け部をポータブルトイレの前後方向へ回転させようとするモーメントが働く。しかしながら、受け部はモーメントに対抗するようにポータブルトイレの前後方向へ延びたＯ型又はＵ型などの形状を有しているので、受け部自体が便座及び蓋部のモーメントによってトイレ本体部の枠部の上で回転させられることはなく、そして便座や蓋部を片持ちで安定して回動自在に支持することができる。
【００３７】
また、便座及び蓋部が受け部へ集中して取り付けられと、トイレ本体部の枠部の上に載置支持されている受け部をトイレ本体部から取り出せば、一度に便座及び蓋部を取り出すことができ、便利である。
【００３８】
さらに、本発明では、便座及び／又は蓋部は受け部へ着脱自在に取り付けられていることが好ましい。
【００３９】
便座や蓋部が枠部へ着脱自在に取り付けられていると、受け部、便座、蓋部をトイレ本体部から簡単に取り出して容易に分離することができるようになる。その結果、受け部、便座、蓋部は、それぞれポータブルトイレの系外で単独で洗浄や拭き取り掃除等ができるようになるので、特に従来はトイレ本体部に取り付けられているために掃除等することが困難であった便座や蓋部の回動部品やその周辺部も容易に洗浄することができるようになる。
【発明の効果】
【００４０】
本発明のポータブルトイレは、汚物を溜めるバケツの開口部の周辺部を取り囲むように溝部をトイレ本体部の上部に設けたので、飛散した排泄物が直接ポータブルトイレの他の部位へ零れたり又は伝わり漏れ出るのを防止することができる。
【００４１】
本発明のポータブルトイレでは、便座と溝部との間の空間をバケツの取っ手の収納場所として有効利用しているので、開口部の中でのバケツの収納状態をコンパクトに設計することができる。また、上面部の溝部の底部をトイレ本体部の後方から前方へ向けて下方へ傾斜させたり又はトイレ本体部の前方から後方へ向けて下方へ傾斜させたりし、さらに溝部の中には突起を設けたりしているので、使用者がバケツの取っ手を把持しようとする時、使用者の手の指が溝部に溜まった小水などの排泄物に触れて汚染されることがないようにすることができる。
【００４２】
本発明によれば、トイレ本体部の上面部の開口部の中にセットされるバケツの開口縁に、外方へ張り出した縁部や折り返し部を設けることによって、バケツは、ポータブルトイレの中へ簡単に装着することができるようになり、そして不意に受け部から離脱してしまうのも防止される。
【００４３】
本発明のポータブルトイレはいわゆるボックス構造としているので、必要な強度を確保した上で、トイレ本体部の表面から使用者が脚などを引っ掛ける可能性のあるリブ等の突起物や段差を無くし、トイレ本体部の表面を滑らかな形状とすることができる。また、トイレ本体部は、箱部と上面部とに分割されたいわゆる２ピース構造を採用しているため、いずれの部品も樹脂製の一体成形品として成形することが可能となり、低コストで且つ頑丈なポータブルトイレを提供することができる。
【００４４】
さらに、本発明のポータブルトイレは、トイレ本体部の前面部を開口の開口縁から箱部の下方へ且つ後方へ向けて傾斜させているので、使用者がポータブルトイレから立ち上がる時及び／又はポータブルトイレへ着座する時、使用者は自己の足下をトイレ本体部の前端部又は便座の前縁の真下又はその後方まで引き寄せることが可能となる。その結果、立ち上がり時及び／又は着座時、使用者の体重移動は上下方向の移動のみとなり、立ち上がり及び着座が容易となる。
【００４５】
本発明のポータブルトイレは、トイレ本体部の上面部を、使用者の排泄物や埃などによって汚れ易く且つ適宜洗浄や拭き掃除が必要な受け部と、該受け部を着脱自在に支持する枠部とに分割することができるので、受け部をポータブルトイレの外部で容易に掃除することができるようになる。
【００４６】
本発明のポータブルトイレでは、便座及び蓋部は受け部へ集中して取り付けられているので、枠部の上に載置支持されている受け部をトイレ本体部から取り出せば、一度に便座及び蓋部を取り出すことができ便利である。さらに、便座及び／又は蓋部は枠部へ着脱自在に取り付けられている場合は、受け部、便座及、蓋部は、それぞれポータブルトイレの系外で単独で洗浄や拭き取り掃除等ができるようになるので、特に従来はトイレ本体部に取り付けられているために掃除等することが困難であった便座や蓋部の回動部品やその周辺部も容易に洗浄することができるようになる。
【図面の簡単な説明】
【００４７】
【図１】蓋が開けられた状態の本発明の便座が取り付けられた本発明のポータブルトイレの概要図である。
【図２】バケツがセットされており且つ蓋及び便座が開けられた状態の本発明のポータブルトイレの概要図である。
【図３】本発明のポータブルトイレの組立模式図である。
【図４】バケツのみがセットされておらず且つ蓋及び便座が開けられた状態の本発明のポータブルトイレの概要図である。
【図５】本発明のポータブルトイレのトイレ本体部の組立模式図である。
【図６】バケツが懸架された状態の受け部の概要図である。
【図７】本発明のポータブルトイレの中にセットされる受け部の概要図である。
【図８】図６に示されている受け部のＸ−Ｘ断面の断面図である。
【図９】図５に示されている受け部とバケツのＹ−Ｙ断面の断面図である。
【図１０】本発明のポータブルトイレの側面図である。
【発明を実施するための形態】
【００４８】
以下、本発明の一実施形態に係るポータブルトイレについて、図面を参照しながら詳細に説明する。なお、本発明は、以下に示される実施形態に限定されるものではなく、本発明の技術的思想を逸脱しない範囲内で各種の変更が可能である。
【００４９】
図１には、蓋５が開けられた状態の本発明の一実施形態に係るポータブルトイレ１の概要図が示されており、図２には、バケツ６がセットされており且つ蓋５及び便座４が開けられた状態の本実施形態に係るポータブルトイレ１の概要図が示されている。また、図３には、本発明の一実施形態に係るポータブルトイレ１の組立模式図が示されている。
【００５０】
本実施形態のポータブルトイレ１は、図３に示されているように、トイレ本体部２、トイレ本体部２の上面を構成する受け部３、便座４、蓋部５、トイレ本体部２の中に装着されるバケツ６及びバケツ６の補助蓋７から構成されており、それぞれの構成要素は互いに取り外し可能に取り付けられている。また、トイレ本体部２には、肘掛け２０、背もたれ２１及び脚部２２が含まれている。
【００５１】
図４には、バケツ６のみがセットされておらず且つ蓋５及び便座４が開けられた状態の本実施形態のポータブルトイレ１の概要図が示されている。図５には、本実施形態のポータブルトイレ１のトイレ本体部２の組立模式図が示されている。
【００５２】
図３及び４に示されているように、本実施形態のポータブルトイレ１においてトイレ本体部２は、互いに重なり合った第１及び第２開口部２４０，３０と、該第１及び第２の開口部２４０，３０の外側に縁壁３１によって区切られた溝部３２とを有する上面部２８を備えている。さらに本実施形態においてトイレ本体部２の上面部２８は、枠部２４と、縁壁３１によって区画された第２の開口部３０を有しており且つ枠部２４の内側で該枠部２４に着脱自在に装着される受け部３とへ分割されている。
【００５３】
すなわち、図４及び５を参照して理解されるように、本実施形態のポータブルトイレ１は、トイレ本体部２の上部に、汚物用バケツ（図示せず）を収容するための第１の開口部２４０を区画する枠部２４を備えている。枠部２４はトイレ本体部２の変形を防止するために機能するトイレ本体部２のフランジ部分であり、トイレ本体部２の枠部２４の下を構成する箱部２３と別体として構成されている。また、本実施形態において枠部２４の中の第１の開口部２４０は、排泄物の漏洩防止、掃除のし易さ、トイレ本体部の成形性などを考慮して底有りの形状としている。
【００５４】
図６には、バケツ６が懸架された状態の受け部３の概要図が示されている。また、図７には、本実施形態のポータブルトイレ１の中にセットされる受け部３の概要図が示されており、そして図８には、図７に示されている受け部３のＸ−Ｘ断面の断面図が示されている。
【００５５】
本実施形態のポータブルトイレ１において、受け部３は、トイレ本体部２とは別体の部品として枠部２４の上に着脱自在に載置される。このため、受け部３は、ポータブルトイレ１の系外へ簡単に取り出すことができ、そして洗浄や拭き取り掃除等を容易に行うことができる。
【００５６】
受け部３は、飛散した排泄物が直接ポータブルトイレ１の他の部位へ零れたり又は伝わり漏れ出るのを防止し（図２，３参照）、そして汚物用バケツ６を懸架することによってトイレ本体部２の中に支持するために機能する（図６参照）。このため受け部３は、汚物を溜めるバケツ６の周辺部を取り囲むことができるように縁壁３１によって区画された第２の開口部３０を備えており、そして全体としてはＯ型形状を有している（図６，７参照）。また、受け部３の第２の開口部３０はトイレ本体部２の第１の開口部２４０と略一致した形状を有しており、そして第２の開口部２４０の中へ縁壁３１を介してバケツ６が着脱自在に収容される（図３，４参照）。
【００５７】
図４に示されているように、本実施形態の受け部３は、縁壁３１によって区画された溝部３２を第２の開口部３０の外側に備えている。受け部３は、トイレ本体部２の中で排泄物の飛散などによって比較的汚れ易い部分に設けられているため、飛散した排泄物を受け部３の溝部３２の中に一時的に受け入れることにより、排泄物が直接ポータブルトイレ１の他の部位へ零れたり又は伝わり漏れ出るのを効果的に防止する。
【００５８】
受け部３の第２の開口部３０の中にセットされるバケツ６は、バケツ６に回動自在に取り付けられた取っ手６４を有している。そしてバケツ６の取っ手６４は、バケツ６を第２の開口部３０の中にセットした時、便座４の下方であって且つ受け部３の溝部３２の中のトイレ本体部２の後方側へ収容される（図２，６参照）。そのため、本実施形態のポータブルトイレ１では、便座４と溝部３２との間の空間をバケツ６の取っ手６４の収納場所として有効利用しているので、第２の開口部３０の中でのバケツ６の収納状態をコンパクトに設計することができる。
【００５９】
図８には、図６に示されている受け部３のＸ−Ｘ断面で切り取った断面図が示されている。
【００６０】
図８を参照して理解されるように、受け部３の溝部３２は、受け部３をトイレ本体部２の枠部２４の上に載置して第１の開口部２４０の中にセットした時、トイレ本体部２の後方から前方へ向けて下方へ傾斜した底面部３３を有している。このため、受け部３の溝部３２に溜まった小水などの排泄物は溝部３２のトイレ本体部２の前方側に溜まるので、使用者がトイレ本体部２からバケツ６を取り出すために、溝部３２のトイレ本体部２の後方側に収容されているバケツ６の取っ手６４を把持しようとする時、使用者の手の指が溝部３２に溜まった小水などの排泄物に触れて汚染されることがないようにすることができる。なお、図示しないが、溝部３２の深さを十分に確保できる場合は、バケツ６の取っ手６４を溝部３２のトイレ本体部２の前方側へ収容させても、上記と同様の効果を得ることができる。
【００６１】
ただし、溝部３２の底面部３３の傾斜は、受け部３をトイレ本体部２の中へセットした時の傾斜を問題としているので、本実施形態のように溝部３２の底面部３３自体が傾斜している場合であっても、又は底面部３３自体は水平であるが、受け部３を支持するトイレ本体部２の枠部２４が傾斜している場合（図示せず）であってもよい。
【００６２】
また、図示しないが、本発明のポータブルトイレでは、受け部３の溝部３２の底部３３を、トイレ本体部２の前方から後方へ向けて下方へ傾斜させてもよい。この場合、溝部３２に溜まった小水などの排泄物は溝部３２のトイレ本体部２の後方側に溜まるので、使用者の手の指が溝部３２に溜まった小水などに汚染されることがないようにするためには、バケツ６の取っ手６４を溝部３２のトイレ本体部２の前方側へ収容することが好ましい。しかしながら、溝部３２の深さを十分に確保できる場合は、バケツ６の取っ手６４を溝部３２のトイレ本体部２の後方側へ収容させても、上記と同様の効果を得ることができる。
【００６３】
さらに、本実施形態の受け部３の溝部３２には、バケツ６の取っ手６４を溝部３２の中に収納した時、取っ手６４を溝部３２の底面部３３から離間させるための突起３４が設けられている（図７参照）。
【００６４】
このため、本実施形態のポータブルトイレ１では、使用者がバケツ６の取っ手６４を把持するために使用者の手の指を挿入させるためのスペースが確保されると共に、使用者がバケツ６の取っ手６４を把持しようとしても、より一層確実に使用者の手の指が溝部３２に溜まった小水などの排泄物に触れて汚染されることがないようにすることができる。なお、突起３４の位置は、バケツ６の取っ手６４を収容する位置に合わせて、本実施形態のように溝部３２のトイレ本体部２の後方側に配置してもよく、又はトイレ本体部２の前方側に配置してもよい。
【００６５】
本実施形態のポータブルトイレ１では、便座４及び蓋部５は受け部３へ回動自在に取り付けられている。受け部３は便座４及び蓋部５を片持ちで支持するので、受け部３には、受け部３をポータブルトイレ１の前後方向へ回転させようとするモーメントが働く。しかしながら、受け部３はモーメントに対抗するようにポータブルトイレ１の前後方向へ延びたＯ型形状を有しているので、受け部３自体が便座４及び蓋部５のモーメントによってトイレ本体部２の枠部２４の上で回転させられることはなく、そして便座４や蓋部５を片持ちで安定して回動自在に支持することができる。
【００６６】
図６に示されているように、便座３及び蓋部４は受け部３へ集中して取り付けられているので、トイレ本体部２の枠部２４の上に載置支持されている受け部３をトイレ本体部２から取り出せば、一度に便座４及び蓋部５を取り出すことができ、便利である。
【００６７】
また、便座４及び蓋部５は受け部３へ着脱自在に取り付けられている。このため、本実施形態のポータブルトイレ１では、受け部３と便座４と蓋部５をトイレ本体部２から簡単に取り出して容易に分離することができる。その結果、受け部３と便座４と蓋部５は、それぞれポータブルトイレ１の系外で単独で洗浄や拭き取り掃除等ができるようになるので、特に従来はトイレ本体部２に取り付けられているために掃除等することが困難であった便座４や蓋部５の回動部品３５やその周辺部も容易に洗浄することができるようになる。
【００６８】
次に、汚物を溜めるため、本実施形態のポータブルトイレ１で使用されるバケツ６について説明する。図９には、図６に示されている受け部３とバケツ６のＹ−Ｙ断面で切り取った断面図が示されている。
【００６９】
図９に示されているように、受け部３の第２の開口部３０の中にセットされるバケツ６は、バケツ６の外方へ張り出しており、そして受け部３の縁壁３１によって支持される縁部６０を備えている。このため、本実施形態のバケツ６は、縁部６０によってバケツ６の開口縁の変形を防止すると共に、受け部３の縁壁３１と協働することによって受け部３から簡単にバケツ６を取り出すことができ、そして受け部３へバケツ６を簡単に装着することができる。
【００７０】
さらに、本実施形態のバケツ６の縁部６０は、バケツ６を受け部３の第２の開口部３０の中にセットした時、受け部３の縁壁３１の溝部側の側面を覆う折り返し部６００を有している。
【００７１】
本実施形態のポータブルトイレ１では、受け部３は第２の開口部３０とその外側に溝部３２を備えており、そして第２の開口部３０と溝部３２との間には両者を区画するように縁壁３１が形成されている（図７参照）。このため、バケツ６の縁部６０に折り返し部６００を設けると、バケツ６をポータブルトイレ１の中へセットした時、バケツ６の外壁と縁部６０の折り返し部６００は受け部３の縁壁３１を挟み込むように配置されるので、バケツ６が受け部３から不意に離脱してしまうのを防止することができる。
【００７２】
次に、図９，１０を用いて、主として本実施形態に係るポータブルトイレ１の構造上の特徴について説明する。図１０には、本実施形態のポータブルトイレ１の側面図が示されている。
【００７３】
図９に示されているように、本実施形態のポータブルトイレ１は、肘掛け２０、背もたれ２１及び脚部２２を含んでいるトイレ本体部２を有している。そしてトイレ本体部２は、上部が開口している箱部２３と、箱部２３の開口の開口縁２３０へ接続される枠部２４とに分割されている。また、箱部２３は、開口の開口縁２３０から箱部２３の下方へ且つ後方へ向けて傾斜している前面部２３１を有している。
【００７４】
本実施形態のポータブルトイレ１は、特に開口縁２３０の折り返しリブなどの突起物を無くするのに有利ないわゆるボックス構造を採用することによって、特にトイレ本体部２の前面部２３１から、使用者が脚などを引っ掛ける可能性のある突起物や段差を無くし、トイレ本体部２の前面部２３１を滑らかな形状としている。
【００７５】
また、本実施形態のポータブルトイレ１はいわゆる２ピース構造を採用し、トイレ本体部２を、上部が開口した箱部２３と、該開口の開口縁２３０へビスなどによって連結される枠部２４の２つの部品へ分割している。そのため、本実施形態のポータブルトイレ１の箱部２３及び枠部２４はいずれも樹脂製の一体成形品として成形されており、その結果、本実施形態のポータブルトイレ１は低コストで且つ頑丈に製作されている。
【００７６】
さらに、本実施形態のポータブルトイレ１は、図１０に示されているように、箱部２３の前面部２３１を開口の開口縁２３０から箱部２３の下方へ且つ後方へ向けて傾斜させているので、使用者は自己の足下をトイレ本体部２の前端部２７又は便座４の前縁４５の真下又はその後方まで引き寄せることが可能となる（図１参照）。このため、本実施形態のポータブルトイレ１では、使用者がポータブルトイレ１から立ち上がる時及び／又はポータブルトイレ１へ着座する時の体重移動は主として上下方向の移動のみとなるので、使用者のポータブルトイレ１からの立ち上がり及びポータブルトイレ１への着座が容易となる。
【００７７】
また、本実施形態のポータブルトイレ１は、箱部２３の外面が枠部２４の外面と面一に接続されている（図１，２参照）。
【００７８】
本実施形態のポータブルトイレ１は、便座４に着座した使用者の両脚の移動を自由にするために、トイレ本体部２の前端部２７の形状を便座４の前縁４５と略同一形状としている（図１参照）。このため、箱部２３の外面を枠部２４の外面と面一に接続すると、トイレ本体部２の前端部２７からトイレ本体部２の下方へ向けて、便座４の前縁４５の形状と略同一の表面形状を有する前面部２３１を形成することができるようになる。
【００７９】
その結果、本実施形態のポータブルトイレ１は、トイレ本体部２の前面部２３１から突起物や段差を排除して、トイレ本体部２の前面部２３１をより一層滑らかな形状とすることができる。また、便座４の前縁４５の中央部分の突出部４５０を、便座４の前縁４５からトイレ本体部２の前面部２３１に掛けて連続的に形成することができるので、使用者が便座４の後方に深く腰を掛けた時の使用者の両脚の開脚誘導をよりスムーズに促進させることができるようになる。
【符号の説明】
【００８０】
１・・・・・ポータブルトイレ
２・・・・・トイレ本体部
２０・・・・肘掛け
２００・・・支柱
２１・・・・背もたれ
２２・・・・脚部
２３・・・・箱部
２３０・・・開口縁
２３１・・・前面部
２４・・・・枠部
２４０・・・第１の開口部
２７・・・・トイレ本体前端部
２８・・・・上面部
３・・・・・受け部
３０・・・・第２の開口部
３１・・・・縁壁
３２・・・・溝部
３３・・・・底面部
３４・・・・突起
３５・・・・回動部品
４・・・・・便座
４５・・・・前縁
５・・・・・蓋部
６・・・・・バケツ
６０・・・・縁部
６００・・・折り返し部
６５・・・・取っ手
７・・・・・補助蓋
【図１】
2015012904.tif 000003
【図２】
2015012904.tif 000004
【図３】
2015012904.tif 000005
【図４】
2015012904.tif 000006
【図５】
2015012904.tif 000007
【図６】
2015012904.tif 000008
【図７】
2015012904.tif 000009
【図８】
2015012904.tif 000010
【図９】
2015012904.tif 000011
【図１０】
2015012904.tif 000012